(57)【特許請求の範囲】
【請求項１】
入力された複数の画像信号および複数の音声出力信号を切替えて出力するスイッチと、前記スイッチの切替制御を行う制御部と、前記スイッチから出力された映像信号を表示する表示部と前記スイッチから出力された音声信号を再生するスピーカ部とを有したディスプレイ装置とを備え、
前記制御手段は、前記スイッチにＤＶＤプレーヤが完全独立で再生出力した複数のチャンネルのうちセンター・チャネルの音声信号が入力された場合は、前記スイッチに対し、前記ＤＶＤプレーヤが出力した前記センター・チャンネルの音声信号を前記ディスプレイ装置のスピーカに出力するよう前記スイッチを切替える制御を行うことを特徴とする信号切替え装置。
【請求項２】
ナビゲーション装置が出力した映像信号および音声信号が前記スイッチに入力され、前記スイッチが、前記ナビゲーション装置から入力された映像信号および音声信号を前記ディスプレイ装置に出力している間に、前記スイッチにＤＶＤプレーヤが出力したセンター・チャネルの音声信号が入力された場合は、前記制御手段が、前記スイッチに対し、前記ＤＶＤプレーヤが出力した前記センター・チャンネルの音声信号を前記ディスプレイ装置のスピーカに出力するよう前記スイッチを切替える制御を行うことを特徴とする請求項１記載の信号切替え装置。
【請求項３】
ナビゲーション装置が出力した映像信号および音声信号が前記スイッチに入力され、前記スイッチが、前記ナビゲーション装置から入力された映像信号および音声信号を前記ディスプレイ装置に出力している間に、スイッチにＤＶＤプレーヤが出力したセンター・チャネルの音声信号が入力された場合は、前記制御手段が、前記スイッチに対し、前記ＤＶＤプレーヤが出力した前記センター・チャンネルの音声信号と前記ＤＶＤプレーヤが出力した映像信号とを前記ディスプレイ装置に出力する指示を与えることを特徴とする請求項１記載の信号切替え装置。
【請求項４】
ナビゲーション装置が出力した映像信号および音声信号が前記スイッチに入力され、前記スイッチが、前記ナビゲーション装置から入力された映像信号および音声信号を前記ディスプレイ装置に出力している間に、スイッチにＤＶＤプレーヤが出力したセンター・チャネルの音声信号が入力された場合は、前記制御手段が、前記スイッチに対し、前記ＤＶＤプレーヤが出力する映像信号を前記ディスプレイ装置に出力する指示を与えることを特徴とする請求項１記載の信号切替え装置。
【請求項５】
前記スイッチが、前記ＤＶＤプレーヤから入力された映像信号および音声信号を前記ディスプレイ装置に出力している間に、ナビゲーション装置が出力した信号が前記スイッチに入力された場合は、前記制御手段は、前記スイッチに対し、前記ナビゲーション装置が出力する音声信号を前記ディスプレイ装置に出力するよう前記スイッチを切替える制御を行うことを特徴とする請求項１記載の信号切替え装置。
【請求項６】
前記スイッチが、前記ＤＶＤプレーヤから入力された映像信号および音声信号を前記ディスプレイ装置に出力している間に、ナビゲーション装置が出力した信号が前記スイッチに入力された場合は、前記制御手段は、前記スイッチに対し、前記ナビゲーション装置が出力する映像信号と音声信号とを前記ディスプレイ装置に出力するよう前記スイッチを切替える制御を行うことを特徴とする請求項１記載の信号切替え装置。
【発明の詳細な説明】
【０００１】
【発明の属する技術分野】
本発明は、入力される音声信号を適宜切替えることができる信号切替え装置に関し、特に、カーオーディオとカーナビゲーションとの音声信号を切替えるのに好適な信号切替え装置に関する。
【０００２】
【従来の技術】
従来から、音声の圧縮方式として、ドルビーデジタル方式が用いられており、このドルビーデジタル方式によって、各チャネルが完全に独立した５．１チャネルのデジタルサラウンド機能が可能となっている。５．１チャネル・デジタルサラウンドは、前２チャネル、後ろ２チャネルの計４チャネルに、主にセリフなどに使用されるセンター・チャネルと、所望の場面で重低音を鳴らすサブウーハの０．１チャネルを加えた５．１チャネルから構成されている。これらの各チャネルは、完全独立（ディスクリート）で記録および再生される。従って、ドルビーデジタルサラウンド機能を実現させるためには、フロントスピーカを２つ、リアスピーカを２つ、センタースピーカを１つ、サブウーハを１つ、計６つの独立したスピーカを必要とする。
【０００３】
一方、最近のカーオーディオの中には、ＤＶＤプレーヤを搭載し、ドルビーデジタル方式で記録されたＤＶＤを再生することができるものがある。
【０００４】
【発明が解決しようとする課題】
しかしながら、通常、自動車内でドルビーデジタルサラウンドを実現することは、容易ではない。すなわち、一般的な自動車では、フロントスピーカを２つ、リアスピーカを２つ設置できるようになっており、また、低音を再生するサブウーハは指向性が無いので、どこに設置しても良く、これらのスピーカを設置することは容易であるが、センタースピーカを設置できるような構造になっていないため、センタースピーカを後付けすることは困難である。このため、ドルビーデジタルサラウンドを実現することは、困難となっている。
本発明は、このような問題点に鑑みてなされたものであり、従来の構成に大きな変更を加えることなく、ドルビーデジタルサラウンドを容易に実現することができる信号切替え装置を提供することを目的とする。
【０００５】
【課題を解決するための手段】
本発明は、ナビゲーション装置が出力した映像信号および音声信号が、スピーカ内蔵のディスプレイ装置に入力されている間に、ＤＶＤプレーヤが出力した信号が入力された場合は、前記ＤＶＤプレーヤがセンタースピーカへ出力する音声信号を前記スピーカに出力する。
【０００６】
【発明の実施の形態】
本発明の第１の態様に係る信号切替え装置は、入力された複数の画像信号および複数の音声出力信号を切替えて出力するスイッチと、前記スイッチの切替制御を行う制御部と、前記スイッチから出力された映像信号を表示する表示部と前記スイッチから出力された音声信号を再生するスピーカ部とを有したディスプレイ装置とを備え、前記制御手段は、前記スイッチにＤＶＤプレーヤが完全独立で再生出力した複数のチャンネルのうちセンター・チャネルの音声信号が入力された場合は、前記スイッチに対し、前記ＤＶＤプレーヤが出力した前記センター・チャンネルの音声信号を前記ディスプレイ装置のスピーカに出力するよう前記スイッチを切替える制御を行う構成を採る。
【０００７】
この構成により、ＤＶＤプレーヤ動作時に、ディスプレイ装置に内蔵されたスピーカをセンタースピーカとして利用することができるため、ドルビーデジタル用の５．１チャネルのスピーカが揃うこととなり、従来の構成に大きな変更を加えることなく、ドルビーデジタルサラウンドを実現することが可能となる。
【０００８】
また、本発明の第２の態様は、第１の態様に係る信号切替え装置において、ナビゲーション装置が出力した映像信号および音声信号が前記スイッチに入力され、前記スイッチが、前記ナビゲーション装置から入力された映像信号および音声信号を前記ディスプレイ装置に出力している間に、前記スイッチにＤＶＤプレーヤが出力したセンター・チャネルの音声信号が入力された場合は、前記制御手段が、前記スイッチに対し、前記ＤＶＤプレーヤが出力した前記センター・チャンネルの音声信号を前記ディスプレイ装置のスピーカに出力するよう前記スイッチを切替える制御を行う構成を採る。
【０００９】
この構成により、ナビゲーション装置の動作中にＤＶＤプレーヤが映像信号および音声信号の出力を開始すると、ナビゲーション装置が出力する音声信号をＤＶＤプレーヤが出力するセンタースピーカ用の音声信号に切替えるため、ドルビーデジタル用の５．１チャネルのスピーカが揃うこととなり、従来の構成に大きな変更を加えることなく、ドルビーデジタルサラウンドを実現することが可能となる。
【００１０】
また、本発明の第３の態様は、第１の態様に係る信号切替え装置において、ナビゲーション装置が出力した映像信号および音声信号が前記スイッチに入力され、前記スイッチが、前記ナビゲーション装置から入力された映像信号および音声信号を前記ディスプレイ装置に出力している間に、スイッチにＤＶＤプレーヤが出力したセンター・チャネルの音声信号が入力された場合は、前記制御手段が、前記スイッチに対し、前記ＤＶＤプレーヤが出力した前記センター・チャンネルの音声信号と前記ＤＶＤプレーヤが出力した映像信号とを前記ディスプレイ装置に出力する指示を与える構成を採る。
【００１１】
この構成により、ナビゲーション装置の動作中にＤＶＤプレーヤが映像信号および音声信号の出力を開始すると、ナビゲーション装置が出力する映像信号をＤＶＤプレーヤが出力する映像信号に切替えると共に、ナビゲーション装置が出力する音声信号をＤＶＤプレーヤが出力するセンタースピーカ用の音声信号に切替えるため、ドルビーデジタル用の５．１チャネルのスピーカが揃うこととなり、従来の構成に大きな変更を加えることなく、ドルビーデジタルサラウンドを実現することが可能となる。
【００１２】
また、本発明の第４の態様は、第１の態様に係る信号切替え装置において、ナビゲーション装置が出力した映像信号および音声信号が前記スイッチに入力され、前記スイッチが、前記ナビゲーション装置から入力された映像信号および音声信号を前記ディスプレイ装置に出力している間に、スイッチにＤＶＤプレーヤが出力したセンター・チャネルの音声信号が入力された場合は、前記制御手段が、前記スイッチに対し、前記ＤＶＤプレーヤが出力する映像信号を前記ディスプレイ装置に出力する指示を与える構成を採る。
【００１３】
この構成により、ナビゲーション装置の動作中にＤＶＤプレーヤが映像信号および音声信号の出力を開始すると、ナビゲーション装置が出力する映像信号をＤＶＤプレーヤが出力する映像信号に切替えるため、ユーザは、ＤＶＤの映像を表示しながらナビゲーション装置の音声案内を聞くことが可能となる。
【００１４】
また、本発明の第５の態様は、第１の態様に係る信号切替え装置において、前記スイッチが、前記ＤＶＤプレーヤから入力された映像信号および音声信号を前記ディスプレイ装置に出力している間に、ナビゲーション装置が出力した信号が前記スイッチに入力された場合は、前記制御手段は、前記スイッチに対し、前記ナビゲーション装置が出力する音声信号を前記ディスプレイ装置に出力するよう前記スイッチを切替える制御を行う構成を採る。
【００１５】
この構成により、ＤＶＤプレーヤの動作中にナビゲーション装置が音声案内の信号を出力すると、ＤＶＤプレーヤが出力する音声信号からナビゲーション装置が出力する音声案内の信号に切替えるため、ユーザは、ＤＶＤ再生中に、必要な位置情報や交通案内に関する情報を取得することが可能となる。また、ＤＶＤ再生中は、ディスプレイ装置が内蔵するスピーカをセンタースピーカとして使用することができるため、ドルビーデジタル用の５．１チャネルのスピーカが揃うこととなり、従来の構成に大きな変更を加えることなく、ドルビーデジタルサラウンドを実現することが可能となる。
【００１６】
また、本発明の第６の態様は、第１の態様に係る信号切替え装置において、前記スイッチが、前記ＤＶＤプレーヤから入力された映像信号および音声信号を前記ディスプレイ装置に出力している間に、ナビゲーション装置が出力した信号が前記スイッチに入力された場合は、前記制御手段は、前記切替手段に対し、前記ナビゲーション装置が出力する映像信号と音声信号とを前記ディスプレイ装置に出力するよう前記スイッチを切替える制御を行う構成を採る。
【００１７】
この構成により、ＤＶＤプレーヤの動作中にナビゲーション装置が音声案内の信号を出力すると、ＤＶＤプレーヤが出力する映像信号をナビゲーション装置が出力する映像信号に切替えると共に、ＤＶＤプレーヤが出力する音声信号からナビゲーション装置が出力する音声案内の信号に切替えるため、ユーザは、ＤＶＤ再生中に、必要な位置情報や交通案内に関する情報を取得することが可能となる。また、ＤＶＤ再生中は、ディスプレイ装置が内蔵するスピーカをセンタースピーカとして使用することができるため、ドルビーデジタル用の５．１チャネルのスピーカが揃うこととなり、従来の構成に大きな変更を加えることなく、ドルビーデジタルサラウンドを実現することが可能となる。
【００２２】
以下、本発明の実施の形態について、図面を参照して説明する。
図１は、本発明の一実施の形態に係る信号切替え装置の全体構成を示すブロック図である。本発明の一実施の形態に係る信号切替え装置では、ＤＶＤプレーヤから出力される６つの音声信号のうち、センタースピーカに出力される信号を、ナビゲーションシステムにおけるディスプレイ装置の内蔵スピーカに入力し、音声信号の再生を行う。
【００２３】
ユーザは、操作部１０１から各種の指示を行い、この指示を受けて、制御部１０２が、スイッチ１０３に対して切替制御を行う。スイッチ１０３は、ＤＶＤプレーヤ１０４とナビゲーション本体１０５との画像および音声出力信号を制御部１０２からの制御に応じて切替え、切替えた画像および音声信号をディスプレイ装置１０６へ出力する。ディスプレイ装置１０６は、スピーカ部１０７と表示部１０８とから構成されており、入力された画像信号を表示部１０８で表示し、音声信号をスピーカ部１０７で再生する。ＤＶＤプレーヤ１０４には、フロントスピーカ１０９、１１０と、リアスピーカ１１１、１１２と、サブウーハ１１３とが接続されている。
【００２４】
次に、以上のように構成された本発明の一実施の形態に係る信号切替え装置の第一の動作について説明する。
図２は、本発明の一実施の形態に係る信号切替え装置の第一の動作フロー図である。ユーザが、操作部１０１上で図示しないナビゲーションモード選択ボタンを押し、ナビゲーションシステムが動作するように指示を行うと、ナビゲーション本体１０５が動作を開始する（ステップＡ１）。制御部１０２は、スイッチ１０３に対し、ナビゲーション本体１０５から入力される画像信号および音声信号を選択するように指示する。スイッチ１０３は、制御部１０２からの指示を受け、ナビゲーション本体から入力された画像信号および音声信号をディスプレイ装置１０６に出力する。ディスプレイ装置１０６は、ナビゲーション本体１０５が出力した信号に応じて、地図情報等の画像情報を表示すると共に、適時に音声案内を行う。
【００２５】
次に、ユーザが、操作部１０１上でＤＶＤプレーヤ１０４が動作するように指示を行うと、ＤＶＤプレーヤ１０４が動作を開始する。制御部１０２は、ナビゲーションモードの状態でＤＶＤプレーヤ１０４が動作を開始したため、スイッチ１０３に対し、音声信号のみをＤＶＤ側に切替えるように指示を行う。スイッチ１０３は、ＤＶＤ切替信号を受信すると（ステップＡ２）、音声信号のみをＤＶＤ側に切替える（ステップＡ３）。この状態で、ＤＶＤプレーヤ１０４が出力する６つの音声信号のうち、センタースピーカ用の信号がスピーカ部１０７で再生される。これにより、自動車内でドルビーデジタルサラウンドを実現することが可能となる。なお、この状態では、スイッチ１０３は、映像信号の切替は行わず、初期状態を維持するため（ステップＡ４）、表示部１０８では、ナビゲーション本体１０５が出力する地図情報等が表示されている。
【００２６】
次に、ＤＶＤプレーヤ１０４による再生が終了すると、制御部１０２は、スイッチ１０３に対し、音声信号をナビゲーション側に切替えるように指示を行う。スイッチ１０３は、ＤＶＤ切替終了信号を受信すると（ステップＡ５）、音声信号をナビゲーション側に切替えて（ステップＡ６）、初期状態に戻る（ステップＡ７）。
【００２７】
このように、本発明の一実施の形態に係る信号切替え装置は、ナビゲーション本体１０５の動作中にＤＶＤプレーヤ１０４が音声信号の出力を開始すると、ナビゲーション本体１０５が出力する音声信号からＤＶＤプレーヤ１０４が出力するセンタースピーカ用の音声信号に切替えるため、ドルビーデジタル用の５．１チャネルのスピーカが揃うこととなり、従来の構成に大きな変更を加えることなく、ドルビーデジタルサラウンドを実現することが可能となる。
【００２８】
次に、本発明の一実施の形態に係る信号切替え装置の第二の動作について、図３を参照して説明する。
図３は、本発明の一実施の形態に係る信号切替え装置の第二の動作フロー図である。ユーザが、操作部１０１上で図示しないナビゲーションモード選択ボタンを押し、ナビゲーションシステムが動作するように指示を行うと、ナビゲーション本体１０５が動作を開始する（ステップＢ１）。制御部１０２は、スイッチ１０３に対し、ナビゲーション本体１０５から入力される画像信号および音声信号を選択するように指示する。スイッチ１０３は、制御部１０２からの指示を受け、ナビゲーション本体から入力された画像信号および音声信号をディスプレイ装置１０６に出力する。ディスプレイ装置１０６は、ナビゲーション本体１０５が出力した信号に応じて、地図情報等の画像情報を表示すると共に、適時に音声案内を行う。
【００２９】
次に、ユーザが、操作部１０１上でＤＶＤプレーヤ１０４が動作するように指示を行うと、ＤＶＤプレーヤ１０４が動作を開始する。また、ユーザが、図示しないＤＶＤ映像選択ボタンを押す。制御部１０２は、ナビゲーションモードの状態でＤＶＤプレーヤ１０４が動作を開始したため、スイッチ１０３に対し、映像信号および音声信号をＤＶＤ側に切替えるように指示を行う。スイッチ１０３は、ＤＶＤ切替信号を受信すると（ステップＢ２）、映像信号および音声信号をＤＶＤ側に切替える（ステップＢ３）。この状態で、ＤＶＤプレーヤ１０４が出力する６つの音声信号のうち、センタースピーカ用の信号がスピーカ部１０７で再生される。これにより、自動車内でドルビーデジタルサラウンドを実現することが可能となる。なお、この状態では、スイッチ１０３は、映像信号をＤＶＤ側に切替えているため、表示部１０８においてＤＶＤに記録されている映像が表示される（ステップＢ４）。
【００３０】
次に、ＤＶＤプレーヤ１０４による再生が終了すると、制御部１０２は、スイッチ１０３に対し、音声信号をナビゲーション側に切替えるように指示を行う。スイッチ１０３は、ＤＶＤ切替終了信号を受信すると（ステップＢ５）、映像信号および音声信号をナビゲーション側に切替えて（ステップＢ６）、初期状態に戻る（ステップＢ７）。
【００３１】
このように、本発明の一実施の形態に係る信号切替え装置は、ナビゲーション本体１０５の動作中にＤＶＤプレーヤ１０４が映像信号および音声信号の出力を開始すると、ナビゲーション本体１０５が出力する映像信号をＤＶＤプレーヤ１０４が出力する映像信号に切替えると共に、ナビゲーション本体１０５が出力する音声信号をＤＶＤプレーヤが出力するセンタースピーカ用の音声信号に切替えるため、ドルビーデジタル用の５．１チャネルのスピーカが揃うこととなり、従来の構成に大きな変更を加えることなく、ドルビーデジタルサラウンドを実現することが可能となる。
【００３２】
次に、本発明の一実施の形態に係る信号切替え装置の第三の動作について、図４を参照して説明する。
図４は、本発明の一実施の形態に係る信号切替え装置の第三の動作フロー図である。ユーザが、操作部１０１上で図示しないナビゲーションモード選択ボタンを押し、ナビゲーションシステムが動作するように指示を行うと、ナビゲーション本体１０５が動作を開始する（ステップＣ１）。制御部１０２は、スイッチ１０３に対し、ナビゲーション本体１０５から入力される画像信号および音声信号を選択するように指示する。スイッチ１０３は、制御部１０２からの指示を受け、ナビゲーション本体から入力された画像信号および音声信号をディスプレイ装置１０６に出力する。ディスプレイ装置１０６は、ナビゲーション本体１０５が出力した信号に応じて、地図情報等の画像情報を表示すると共に、適時に音声案内を行う。
【００３３】
次に、ユーザが、操作部１０１上でＤＶＤプレーヤ１０４が動作するように指示を行うと、ＤＶＤプレーヤ１０４が動作を開始する。また、ユーザが、図示しないナビゲーション映像選択ボタンを押す。制御部１０２は、ナビゲーションモードの状態でＤＶＤプレーヤ１０４が動作を開始したため、スイッチ１０３に対し、映像信号をＤＶＤ側に切替えるように指示を行う。スイッチ１０３は、ＤＶＤ切替信号を受信すると（ステップＣ２）、音声信号は初期状態のままで(ステップＣ３)、映像信号をＤＶＤ側に切替える（ステップＣ４）。この状態で、ＤＶＤプレーヤ１０４が出力する映像が表示部１０８に表示され、ナビゲーション本体１０５から出力される音声案内がスピーカ部１０７で再生される。
【００３４】
次に、ＤＶＤプレーヤ１０４による再生が終了すると、制御部１０２は、スイッチ１０３に対し、映像信号をナビゲーション側に切替えるように指示を行う。スイッチ１０３は、ＤＶＤ切替終了信号を受信すると（ステップＣ５）、映像信号をナビゲーション側に切替えて（ステップＣ６）、初期状態に戻る（ステップＣ７）。
【００３５】
このように、本発明の一実施の形態に係る信号切替え装置は、ナビゲーション本体１０５の動作中にＤＶＤプレーヤ１０４が映像信号および音声信号の出力を開始すると、ナビゲーション本体１０５が出力する映像信号をＤＶＤプレーヤ１０４が出力する映像信号に切替えるため、ユーザは、ＤＶＤの映像を表示しながらナビゲーション本体１０５の音声案内を聞くことが可能となる。
【００３６】
次に、以上のように構成された本発明の一実施の形態に係る信号切替え装置の第四の動作について説明する。
図５は、本発明の一実施の形態に係る信号切替え装置の第四の動作フロー図である。ユーザが、操作部１０１上で図示しないＤＶＤ再生モード選択ボタンを押し、ＤＶＤプレーヤ１０４が動作するように指示を行うと、ＤＶＤプレーヤ１０４が動作を開始する（ステップＤ１）。制御部１０２は、スイッチ１０３に対し、ＤＶＤプレーヤ１０４から入力される画像信号および音声信号を選択するように指示する。スイッチ１０３は、制御部１０２からの指示を受け、ＤＶＤプレーヤ１０４から入力された画像信号および音声信号をディスプレイ装置１０６に出力する。ディスプレイ装置１０６は、ＤＶＤプレーヤ１０４が出力した画像情報を表示すると共に、センタースピーカ用の音声信号を再生する。これにより、ドルビーデジタル用の５．１チャネルのスピーカが揃うこととなるため、自動車内でドルビーデジタルサラウンドを実現することが可能となる。
【００３７】
次に、ユーザが、操作部１０１上でナビゲーション本体１０５が動作するように指示を行うと、ナビゲーション本体１０５が動作を開始する。制御部１０２は、ＤＶＤ再生モードの状態でナビゲーション本体１０５が動作を開始したため、スイッチ１０３に対し、音声信号のみをナビゲーション側に切替えるように指示を行う。スイッチ１０３は、ナビ音声案内切替信号を受信すると（ステップＤ２）、音声信号のみをナビゲーション側に切替える（ステップＤ３）。これにより、ユーザは、ナビゲーション本体１０５による音声案内を聞くことが可能となる。また、この状態では、スイッチ１０３は、映像信号の切替は行わず、初期状態を維持するため（ステップＤ４）、表示部１０８では、ＤＶＤプレーヤ１０４が出力する映像が表示されている。
【００３８】
次に、ナビゲーション本体１０５の音声案内が終了すると（ステップＤ５）、制御部１０２は、スイッチ１０３に対し、音声信号をＤＶＤプレーヤ１０４側に切替えるように指示を行う。スイッチ１０３は、ナビ音声案内終了信号すると（ステップＤ５）、音声信号をＤＶＤ側に切替えて（ステップＤ６）、初期状態に戻る（ステップＤ７）。
【００３９】
このように、本発明の一実施の形態に係る信号切替え装置は、ＤＶＤプレーヤ１０４の動作中にナビゲーション本体１０５が音声案内の信号を出力すると、ＤＶＤプレーヤ１０４が出力する音声信号からナビゲーション本体１０５が出力する音声案内の信号に切替えるため、ユーザは、ＤＶＤ再生中に、必要な位置情報や交通案内に関する情報を取得することが可能となる。また、ＤＶＤ再生中は、ディスプレイ装置におけるスピーカ部１０７をセンタースピーカとして使用することができるため、ドルビーデジタル用の５．１チャネルのスピーカが揃うこととなり、従来の構成に大きな変更を加えることなく、ドルビーデジタルサラウンドを実現することが可能となる。
【００４０】
次に、以上のように構成された本発明の一実施の形態に係る信号切替え装置の第５の動作について説明する。
図６は、本発明の一実施の形態に係る信号切替え装置の第５の動作フロー図である。ユーザが、操作部１０１上で図示しないＤＶＤ再生モード選択ボタンを押し、ＤＶＤプレーヤ１０４が動作するように指示を行うと、ＤＶＤプレーヤ１０４が動作を開始する（ステップＥ１）。制御部１０２は、スイッチ１０３に対し、ＤＶＤプレーヤ１０４から入力される画像信号および音声信号を選択するように指示する。スイッチ１０３は、制御部１０２からの指示を受け、ＤＶＤプレーヤ１０４から入力された画像信号および音声信号をディスプレイ装置１０６に出力する。ディスプレイ装置１０６は、ＤＶＤプレーヤ１０４が出力した画像情報を表示すると共に、センタースピーカ用の音声信号を再生する。これにより、ドルビーデジタル用の５．１チャネルのスピーカが揃うこととなるため、自動車内でドルビーデジタルサラウンドを実現することが可能となる。
【００４１】
次に、ユーザが、操作部１０１上でナビゲーション本体１０５が動作するように指示を行うと、ナビゲーション本体１０５が動作を開始する。制御部１０２は、ＤＶＤ再生モードの状態でナビゲーション本体１０５が音声案内を開始すると、スイッチ１０３に対し、映像信号および音声信号をナビゲーション側に切替えるように指示を行う。スイッチ１０３は、ナビゲーション切替信号を受信すると（ステップＥ２）、映像信号および音声信号をナビゲーション側に切替える（ステップＥ３、ステップＥ４）。これにより、ユーザは、ナビゲーション本体１０５による位置情報を視覚により認識すると共に、音声案内を聞くことが可能となる。
【００４２】
次に、ナビゲーション本体１０５の音声案内が終了すると（ステップＥ５）、制御部１０２は、スイッチ１０３に対し、映像信号および音声信号をＤＶＤプレーヤ１０４側に切替えるように指示を行う。スイッチ１０３は、ナビゲーション音声案内終了信号すると（ステップＥ５）、映像信号および音声信号をＤＶＤ側に切替えて（ステップＥ６）、初期状態に戻る（ステップＥ７）。
【００４３】
このように、本発明の一実施の形態に係る信号切替え装置は、ＤＶＤプレーヤ１０４の動作中にナビゲーション本体１０５が音声案内の信号を出力すると、ＤＶＤプレーヤ１０４が出力する映像信号をナビゲーション本体１０５が出力する映像信号に切替えると共に、ＤＶＤプレーヤ１０４が出力する音声信号からナビゲーション本体１０５が出力する音声案内の信号に切替えるため、ユーザは、ＤＶＤ再生中に、必要な位置情報や交通案内に関する情報を取得することが可能となる。また、ＤＶＤ再生中は、ディスプレイ装置におけるスピーカ部１０７をセンタースピーカとして使用することができるため、ドルビーデジタル用の５．１チャネルのスピーカが揃うこととなり、従来の構成に大きな変更を加えることなく、ドルビーデジタルサラウンドを実現することが可能となる。
【００４４】
なお、上記の一実施の形態では、入力された映像信号および音声信号を自動的に切替える構成を説明したが、本発明は、これに限定されず、例えば、ユーザが手動にて任意に信号の切替を行う構成を採ることも可能である。
【００４５】
【発明の効果】
以上の説明から明らかなように、本発明によれば、ＤＶＤプレーヤ動作時に、ディスプレイ装置に内蔵されたスピーカをセンタースピーカとして利用することができるため、ドルビーデジタル用の５．１チャネルのスピーカが揃うこととなり、従来の構成に大きな変更を加えることなく、ドルビーデジタルサラウンドを実現することが可能となる。
【図面の簡単な説明】
【図１】本発明の一実施の形態に係る信号切替え装置の全体構成を示すブロック図
【図２】上記一実施の形態に係る信号切替え装置の第一の動作フロー図
【図３】上記一実施の形態に係る信号切替え装置の第二の動作フロー図
【図４】上記一実施の形態に係る信号切替え装置の第三の動作フロー図
【図５】上記一実施の形態に係る信号切替え装置の第四の動作フロー図
【図６】上記一実施の形態に係る信号切替え装置の第五の動作フロー図
【符号の説明】
１０１  操作部
１０２  制御部
１０３  スイッチ
１０４  ＤＶＤプレーヤ
１０５  ナビゲーション本体
１０６  ディスプレイ装置
１０７  スピーカ部
１０８  表示部
１０９  フロントスピーカ（Ｒｉｇｈｔ）
１１０  フロントスピーカ（Ｌｅｆｔ）
１１１  リアスピーカ（Ｒｉｇｈｔ）
１１２  リアスピーカ（Ｌｅｆｔ）
１１３  サブウーハ
【図１】
0003892980.tif 000002
【図２】
0003892980.tif 000003
【図３】
0003892980.tif 000004
【図４】
0003892980.tif 000005
【図５】
0003892980.tif 000006
【図６】
0003892980.tif 000007